(57)【要約】【課題】  本体ケーシングの小型化と伝熱性能の向上とを図る。【解決手段】  室内空気を吸い込む遠心送風機２と前記遠心送風機２の吹出側においてこれを挟む一対の熱交換器４，４と該熱交換器４，４の風上側にそれぞれ配設された過冷却熱交換器７，７とを本体ケーシング１内に配設した空気調和機用室内ユニットにおいて、前記各過冷却熱交換器７を、略鉛直方向に配設された伝熱管７ｄ，７ｄ・・と該伝熱管７ｄ，７ｄ・・に直交する多数の板状フィン７ｅ，７ｅ・・とによって構成して、スペース的な問題を解決し且つ伝熱性能の大幅な向上を図るようにしている。【選択図】        図１
2009103433.tif 000002
【特許請求の範囲】
【請求項１】
室内空気を吸い込む遠心送風機（２）と前記遠心送風機（２）の吹出側においてこれを挟む一対の熱交換器（４），（４）と該熱交換器（４），（４）の風上側にそれぞれ配設された過冷却熱交換器（７），（７）とを本体ケーシング（１）内に配設した空気調和機用室内ユニットであって、前記各過冷却熱交換器（７）を、略鉛直方向に配設された伝熱管（７ｄ），（７ｄ）・・と該伝熱管（７ｄ），（７ｄ）・・に直交する多数の板状フィン（７ｅ），（７ｅ）・・とによって構成したことを特徴とする空気調和機用室内ユニット。
【請求項２】
室内空気を吸い込む遠心送風機（２）と前記遠心送風機（２）の吹出側においてこれを挟む一対の熱交換器（４），（４）と該熱交換器（４），（４）の風上側にそれぞれ配設された過冷却熱交換器（７），（７）とを本体ケーシング（１）内に配設した空気調和機用室内ユニットであって、前記各過冷却熱交換器（７）を、略鉛直方向に配設された偶数本の伝熱管（７ｄ），（７ｄ）・・と該伝熱管（７ｄ），（７ｄ）・・に直交する多数の板状フィン（７ｅ），（７ｅ）・・とによって構成したことを特徴とする空気調和機用室内ユニット。
【請求項３】
前記各熱交換器（４）を、平行に複数列配置した偏平チューブ（４ａ），（４ａ）・・と該偏平チューブ（４ａ），（４ａ）・・間に介在されたコルゲートフィン（４ｂ），（４ｂ）・・とによって構成したことを特徴とする請求項１および２のいずれか一項記載の空気調和機用室内ユニット。
【請求項４】
前記各過冷却熱交換器（７）を、前記伝熱管（７ｄ），（７ｄ）・・がやや斜めに傾斜した姿勢となるように配設したことを特徴とする請求項１、２および３のいずれか一項記載の空気調和機用室内ユニット。
【請求項５】
前記各過冷却熱交換器（７）の設置角度（θ）を５°以上としたことを特徴とする請求項４記載の空気調和機用室内ユニット。
【請求項６】
前記各熱交換器（４）を、平行に複数列配置した偏平チューブ（４ａ），（４ａ）・・と該偏平チューブ（４ａ），（４ａ）・・間に介在されたコルゲートフィン（４ｂ），（４ｂ）・・とによって構成するとともに、これらの熱交換器（４），（４）を、前記本体ケーシング（１）の奥行き方向に対して傾斜した姿勢で配設したことを特徴とする請求項１、２、３、４および５のいずれか一項記載の空気調和機用室内ユニット。
【発明の詳細な説明】
【技術分野】
【０００１】
本願発明は、空気調和機用室内ユニットに関し、さらに詳しくは空気調和機用室内ユニットにおける過冷却熱交換器の構成に関するものである。
【背景技術】
【０００２】
図５に示すように、直方体形状の本体ケーシング１内の中央部にその回転軸２ａを奥行き方向に配置して配設された室内空気を吸い込む遠心送風機２と、該遠心送風機２の前面側に形成された空気吸込口３と、前記遠心送風機２を吹出側（例えば、左右）において挟む一対の熱交換器４，４と、該熱交換器４，４の前面側にそれぞれ形成された空気吹出口５，５と、前記熱交換器４，４の風上側にそれぞれ配設された過冷却熱交換器７，７とを備えて構成された空気調和機用室内ユニットは従来からよく知られている（特許文献１参照）。符号６は遠心送風機２の吸込側に設けられたベルマウスである。前記熱交換器４，４は、その空気吸込面の正面側が前記遠心送風機２に近くなるように傾斜して配置されている。このようにすると、本体ケーシング１の奥行き寸法を可及的に小さくすることができる。
【０００３】
前記遠心送風機２は、ターボファンとされており、前面側から室内空気を吸い込み、半径方向に空気を吹き出すように構成されている。即ち、この遠心送風機２は、回転軸２ａを本体ケーシング１の奥行き方向に配置し、羽根車２ｂの吸込口２ｃを前記空気吸込口３に対向させるとともに、ハブ２ｄを前記本体ケーシング１の背面板１ａに沿うように配置することにより、室内空気を前面中央部の空気吸込口３から吸い込み、遠心送風機２からは羽根車２ｂの半径方向に吹き出すように構成されている。そして、羽根車２ｂの上下の空間を小さく形成して、遠心送風機２からの吹出方向が羽根車２ｂの左右方向、即ち左右の空気吹出口５，５の方向となるようにしている。このように構成された遠心送風機２は、室内ユニットの薄型化を効果的に行うために、駆動源であるファンモータ２ｅとしては、薄型化仕様のモータ、例えばプリントモータが使用されている。
【０００４】
前記熱交換器４，４は、室内ユニットがヒートポンプ式空気調和機用室内ユニットである場合、暖房運転時に凝縮器として作用し、冷房運転時に蒸発器として作用するものであり、図５に示すように、遠心送風機２の吐出側である左右両側に略対称配置されている。前記各熱交換器４は、図６に示すように、鉛直方向に配置された偏平チューブ４ａが平行に配置され、これらの偏平チューブ４ａ間にコルゲートフィン４ｂを介在させた構成となっている。なお、偏平チューブ４ａとコルゲートフィン４ｂとは鑞付け等により接合されている。そして、前記熱交換器４，４は、本体ケーシング１内の底部スペース（即ち、ドレンパン）を利用して冷媒配管４ｃにより連結され、一体となって作用するように構成されている。
【０００５】
また、前記各過冷却熱交換器７は、前記熱交換器４から独立したフィン付き熱交換器であって、冷媒通過面積が前記熱交換器４より小さくなるように構成されている。例えば、図７に示すように、１本の熱交換チューブ７ａにスパインフィン７ｂを巻き付けた簡素な構造の小型円筒状のフィン付き熱交換器として構成されており、熱交換チューブ７ａが上下方向に向くようにして配置されている。
【０００６】
【特許文献１】特開２００６−３３６９０９号公報
【発明の開示】
【発明が解決しようとする課題】
【０００７】
ところで、上記した従来の空気調和機用室内ユニットの場合、スパインフィンタイプの過冷却熱交換器７，７を連結する冷媒配管７ｃは、図８（イ）に示すように、遠心送風機２の上方に配置されることとなる。
【０００８】
この状態で、冷房運転を行うと、この冷媒配管７ｃは、遠心送風機２から吹き出される比較的高温高湿の吸込空気にさらされることとなるため、冷媒配管７ｃ内を流れる低温の冷媒と熱交換して、冷媒配管７ｃの表面に結露が発生し、成長した水滴が遠心送風機２やベルマウス６に落下し、一部が空気吸込口から出てきて機外に落下するという不具合が生ずる。
【０００９】
上記不具合を防止するためには、一般的には、冷媒配管に断熱材を巻き付ける方法があるが、断熱材を巻き付けると、径方向の寸法が大きくなるところから、隣に位置する遠心送風機２に接触するおそれがあるなどのスペース的な新たな問題が生ずる。また、図８（ロ）に示すように、スパインフィンタイプの過冷却熱交換器７ｃ，７ｃを２列に並べてＵ字状の冷媒配管７ｃで連結することにより、冷媒配管７ｃを本体ケーシング１の底部に位置するドレンパン内に持ってくる方法（特許文献１の実施例参照）があるが、実質的に過冷却熱交換器７，７を２列並べるスペースを遠心送風機２と熱交換器４，４との間に確保することが難しく、通風抵抗も増加するため、実際的ではない。なお、図８（ハ）に示すように、冷媒配管７ｃを下方にＵターンさせて本体ケーシング１の底部に位置するドレンパン内に持ってくる方法もあるが、吸込空気経路にある配管は、伝熱的にはほとんど寄与せず、無駄となる。
【００１０】
本願発明は、上記の点に鑑みてなされたもので、本体ケーシングの小型化と伝熱性能の向上とを図ることを目的としている。
【課題を解決するための手段】
【００１１】
本願発明では、上記課題を解決するための第１の手段として、室内空気を吸い込む遠心送風機２と前記遠心送風機２の吹出側においてこれを挟む一対の熱交換器４，４と該熱交換器４，４の風上側にそれぞれ配設された過冷却熱交換器７，７とを本体ケーシング１内に配設した空気調和機用室内ユニットにおいて、前記各過冷却熱交換器７を、略鉛直方向に配設された伝熱管７ｄ，７ｄ・・と該伝熱管７ｄ，７ｄ・・に直交する多数の板状フィン７ｅ，７ｅ・・とによって構成している。
【００１２】
上記のように構成したことにより、伝熱管７ｄ，７ｄ・・と該伝熱管７ｄ，７ｄ・・に直交する多数の板状フィン７ｅ，７ｅ・・とからなるクロスフィンコイルタイプの熱交換器は、従来使用されていたスパインフィンタイプの熱交換器に比べて、厚みが薄くなるので、スペース的な問題が解決する。また、クロスフィンコイルタイプの熱交換器は、従来使用されていたスパインフィンタイプの熱交換器に比べて、同一通風抵抗で、能力が５０％以上増加するところから、伝熱性能が大幅に向上する。
【００１３】
本願発明では、上記課題を解決するための第２の手段として、室内空気を吸い込む遠心送風機２と前記遠心送風機２の吹出側においてこれを挟む一対の熱交換器４，４と該熱交換器４，４の風上側にそれぞれ配設された過冷却熱交換器７，７とを本体ケーシング１内に配設した空気調和機用室内ユニットにおいて、前記各過冷却熱交換器７を、略鉛直方向に配設された偶数本の伝熱管７ｄ，７ｄ・・と該伝熱管７ｄ，７ｄ・・に直交する多数の板状フィン７ｅ，７ｅ・・とによって構成している。
【００１４】
上記のように構成したことにより、過冷却熱交換器７，７を連結する冷媒配管７ｆが、本体ケーシング１の底部に位置するドレンパン８内に配設されることとなる。従って、冷媒配管７ｆの表面に結露が発生した場合であっても、成長した水滴はドレンパン８内に落下することとなり、水飛びが発生しにくくなる。しかも、伝熱管７ｄ，７ｄ・・と該伝熱管７ｄ，７ｄ・・に直交する多数の板状フィン７ｅ，７ｅ・・とからなるクロスフィンコイルタイプの熱交換器は、従来使用されていたスパインフィンタイプの熱交換器に比べて、厚みが薄くなるので、スペース的な問題が解決する。また、クロスフィンコイルタイプの熱交換器は、従来使用されていたスパインフィンタイプの熱交換器に比べて、同一通風抵抗で、能力が５０％以上増加するところから、伝熱性能が大幅に向上する。
【００１５】
本願発明では、さらに、上記課題を解決するための第３の手段として、上記第１の手段を備えた空気調和機用室内ユニットにおいて、上記第１又は第２の手段を備えた空気調和機用室内ユニットにおいて、前記各熱交換器４を、平行に複数列配置した偏平チューブ４ａ，４ａ・・と該偏平チューブ４ａ，４ａ・・間に介在されたコルゲートフィン４ｂ，４ｂ・・とによって構成することもでき、そのように構成した場合、偏平チューブ４ａ，４ａ・・内を流れる冷媒からコルゲートフィン４ｂ，４ｂ・・への熱伝達が良好に行われることとなり、熱交換性能が向上することとなって、室内ユニットの小型化を図ることができる。
【００１６】
本願発明では、さらに、上記課題を解決するための第４の手段として、上記第１、第２又は第３の手段を備えた空気調和機用室内ユニットにおいて、前記各過冷却熱交換器７を、前記伝熱管７ｄ，７ｄ・・がやや斜めに傾斜した姿勢となるように配設することもでき、そのように構成した場合、各過冷却熱交換器７を構成する板状フィン７ｅ，７ｅ・・（伝熱管７ｄ，７ｄ・・と直交する）が水平姿勢となることがなくなるところから、水捌け性が向上し、冷房運転時に板状フィン７ｅ，７ｅ・・に凝縮水が溜まることがなくなる。
【００１７】
本願発明では、さらに、上記課題を解決するための第５の手段として、上記第４の手段を備えた空気調和機用室内ユニットにおいて、前記各過冷却熱交換器７の設置角度θを５°以上とすることもでき、そのように構成した場合、板状フィン７ｅ，７ｅ・・における保水量減少率が格段に向上することとなり、水捌け性が格段に向上し、冷房運転時に板状フィン７ｅ，７ｅ・・に凝縮水が溜まることがなくなる。
【００１８】
本願発明では、さらに、上記課題を解決するための第６の手段として、上記第１、第２、第３、第４又は第５の手段を備えた空気調和機用室内ユニットにおいて、前記各熱交換器４を、平行に複数列配置した複数の偏平チューブ４ａ，４ａ・・と該偏平チューブ４ａ，４ａ・・間に介在されたコルゲートフィン４ｂ，４ｂ・・とによって構成するとともに、これらの熱交換器４，４を、前記本体ケーシング１の奥行き方向に対して傾斜した姿勢で配設することもでき、そのように構成した場合、熱交換器４，４における熱交換性能が向上するところから、室内ユニットの小型化を図ることができることとなり、本体ケーシング１の奥行き寸法を可及的に小さくできることとなって、室内ユニットの薄型化に大いに寄与する。
【発明の効果】
【００１９】
本願発明の第１の手段によれば、室内空気を吸い込む遠心送風機２と前記遠心送風機２の吹出側においてこれを挟む一対の熱交換器４，４と該熱交換器４，４の風上側にそれぞれ配設された過冷却熱交換器７，７とを本体ケーシング１内に配設した空気調和機用室内ユニットにおいて、前記各過冷却熱交換器７を、略鉛直方向に配設された伝熱管７ｄ，７ｄ・・と該伝熱管７ｄ，７ｄ・・に直交する多数の板状フィン７ｅ，７ｅ・・とによって構成しているので、伝熱管７ｄ，７ｄ・・と該伝熱管７ｄ，７ｄ・・に直交する多数の板状フィン７ｅ，７ｅ・・とからなるクロスフィンコイルタイプの熱交換器は、従来使用されていたスパインフィンタイプの熱交換器に比べて、厚みが薄くなり、スペース的な問題が解決するという効果がある。また、クロスフィンコイルタイプの熱交換器は、従来使用されていたスパインフィンタイプの熱交換器に比べて、同一通風抵抗で、能力が５０％以上増加するところから、伝熱性能が大幅に向上するという効果もある。
【００２０】
本願発明の第２の手段によれば、室内空気を吸い込む遠心送風機２と前記遠心送風機２の吹出側においてこれを挟む一対の熱交換器４，４と該熱交換器４，４の風上側にそれぞれ配設された過冷却熱交換器７，７とを本体ケーシング１内に配設した空気調和機用室内ユニットにおいて、前記各過冷却熱交換器７を、略鉛直方向に配設された偶数本の伝熱管７ｄ，７ｄ・・と該伝熱管７ｄ，７ｄ・・に直交する多数の板状フィン７ｅ，７ｅ・・とによって構成して、過冷却熱交換器７，７を連結する冷媒配管７ｆを、本体ケーシング１の底部に位置するドレンパン８内に配設し得るようにしたので、冷媒配管７ｆの表面に結露が発生した場合であっても、成長した水滴はドレンパン８内に落下することとなり、水飛びが発生しにくくなるという効果がある。しかも、伝熱管７ｄ，７ｄ・・と該伝熱管７ｄ，７ｄ・・に直交する多数の板状フィン７ｅ，７ｅ・・とからなるクロスフィンコイルタイプの熱交換器は、従来使用されていたスパインフィンタイプの熱交換器に比べて、厚みが薄くなるので、スペース的な問題も解決するという効果もある。また、クロスフィンコイルタイプの熱交換器は、従来使用されていたスパインフィンタイプの熱交換器に比べて、同一通風抵抗で、能力が５０％以上増加するところから、伝熱性能が大幅に向上するという効果もある。
【００２１】
本願発明の第３の手段におけるように、上記第１の手段を備えた空気調和機用室内ユニットにおいて、上記第１又は第２の手段を備えた空気調和機用室内ユニットにおいて、前記各熱交換器４を、平行に複数列配置した偏平チューブ４ａ，４ａ・・と該偏平チューブ４ａ，４ａ・・間に介在されたコルゲートフィン４ｂ，４ｂ・・とによって構成することもでき、そのように構成した場合、偏平チューブ４ａ，４ａ・・内を流れる冷媒からコルゲートフィン４ｂ，４ｂ・・への熱伝達が良好に行われることとなり、熱交換性能が向上することとなって、室内ユニットの小型化を図ることができる。
【００２２】
本願発明の第４の手段におけるように、上記第１、第２又は第３の手段を備えた空気調和機用室内ユニットにおいて、前記各過冷却熱交換器７を、前記伝熱管７ｄ，７ｄ・・がやや斜めに傾斜した姿勢となるように配設することもでき、そのように構成した場合、各過冷却熱交換器７を構成する板状フィン７ｅ，７ｅ・・（伝熱管７ｄ，７ｄ・・と直交する）が水平姿勢となることがなくなるところから、水捌け性が向上し、冷房運転時に板状フィン７ｅ，７ｅ・・に凝縮水が溜まることがなくなる。
【００２３】
本願発明の第５の手段におけるように、上記第４の手段を備えた空気調和機用室内ユニットにおいて、前記各過冷却熱交換器７の設置角度θを５°以上とすることもでき、そのように構成した場合、板状フィン７ｅ，７ｅ・・における保水量減少率が格段に向上することとなり、水捌け性が格段に向上し、冷房運転時に板状フィン７ｅ，７ｅ・・に凝縮水が溜まることがなくなる。
【００２４】
本願発明の第６の手段におけるように、上記第１、第２、第３、第４又は第５の手段を備えた空気調和機用室内ユニットにおいて、前記各熱交換器４を、平行に複数列配置した複数の偏平チューブ４ａ，４ａ・・と該偏平チューブ４ａ，４ａ・・間に介在されたコルゲートフィン４ｂ，４ｂ・・とによって構成するとともに、これらの熱交換器４，４を、前記本体ケーシング１の奥行き方向に対して傾斜した姿勢で配設することもでき、そのように構成した場合、熱交換器４，４における熱交換性能が向上するところから、室内ユニットの小型化を図ることができることとなり、本体ケーシング１の奥行き寸法を可及的に小さくできることとなって、室内ユニットの薄型化に大いに寄与する。
【発明を実施するための最良の形態】
【００２５】
以下、添付の図面を参照して、本願発明の好適な実施の形態について説明する。
【００２６】
本実施の形態にかかる空気調和機用室内ユニットは、従来技術として説明したものとほぼ同一の構造とされている。
【００２７】
即ち、この空気調和機用室内ユニットは、図１および図２に示すように、直方体形状の本体ケーシング１内の中央部にその回転軸２ａを奥行き方向に配置して配設された室内空気を吸い込む遠心送風機２と、該遠心送風機２の前面側に形成された空気吸込口３と、前記遠心送風機２を吹出側（例えば、左右）において挟む一対の熱交換器４，４と、該熱交換器４，４の前面側にそれぞれ形成された空気吹出口５，５と、前記熱交換器４，４の風上側にそれぞれ配設された過冷却熱交換器７，７とを備えて構成されている。符号６は遠心送風機２の吸込側に設けられたベルマウスである。前記熱交換器４，４は、その空気吸込面の正面側が前記遠心送風機２に近くなるように傾斜して配置されている。このようにすると、本体ケーシング１の奥行き寸法を可及的に小さくすることができる。
【００２８】
前記遠心送風機２は、ターボファンとされており、前面側から室内空気を吸い込み、半径方向に空気を吹き出すように構成されている。即ち、この遠心送風機２は、回転軸２ａを本体ケーシング１の奥行き方向に配置し、羽根車２ｂの吸込口２ｃを前記空気吸込口３に対向させるとともに、ハブ２ｄを前記本体ケーシング１の背面板１ａに沿うように配置することにより、室内空気を前面中央部の空気吸込口３から吸い込み、遠心送風機２からは羽根車２ｂの半径方向に吹き出すように構成されている。そして、羽根車２ｂの上下の空間を小さく形成して、遠心送風機２からの吹出方向が羽根車２ｂの左右方向、即ち左右の空気吹出口５，５の方向となるようにしている。このように構成された遠心送風機２は、室内ユニットの薄型化を効果的に行うために、駆動源であるファンモータ２ｅとしては、薄型化仕様のモータ、例えばプリントモータが使用されている。
【００２９】
前記熱交換器４，４は、室内ユニットがヒートポンプ式空気調和機用室内ユニットである場合、暖房運転時に凝縮器として作用し、冷房運転時に蒸発器として作用するものであり、図１に示すように、遠心送風機２の吐出側である左右両側に略対称配置されている。前記各熱交換器４は、図６に示すように、鉛直方向に配置された偏平チューブ４ａが平行に配置され、これらの偏平チューブ４ａ間にコルゲートフィン４ｂを介在させた構成となっている。このようにすると、偏平チューブ４ａ，４ａ・・内を流れる冷媒からコルゲートフィン４ｂ，４ｂ・・への熱伝達が良好に行われることとなり、熱交換性能が向上することとなって、室内ユニットの小型化を図ることができる。なお、偏平チューブ４ａとコルゲートフィン４ｂとは鑞付け等により接合されている。前記熱交換器４，４は、本体ケーシング１内の底部スペースに位置するドレンパン８（図２参照）を利用して冷媒配管４ｃにより連結され、一体となって作用するように構成されている。
【００３０】
ところで、本実施の形態においては、前記各過冷却熱交換器７として、略鉛直方向に配設された２本の伝熱管７ｄ，７ｄと該伝熱管７ｄ，７ｄに直交する多数の板状フィン７ｅ，７ｅ・・とによって構成されたクロスフィンコイルタイプの熱交換器が採用されている。そして、前記過冷却熱交換器７，７も、本体ケーシング１内の底部スペースに位置するドレンパン８（図２参照）を利用して冷媒配管７ｆにより連結され、一体となって作用するように構成されている。しかも、前記各過冷却熱交換器７は、図３に示すように、前記伝熱管７ｄ，７ｄがやや斜めに傾斜した姿勢となるように配設されている。また、この各過冷却熱交換器７は、熱交換器４に直接取り付ける取付構造としてもよく、本体ケーシング１に何らかの取付部材を介して取り付ける取付構造としてもよい。なお、過冷却熱交換器７を構成する伝熱管７ｄの本数は、偶数本であればよく、２本に限定されない。
【００３１】
上記のように構成したことにより、過冷却熱交換器７，７を連結する冷媒配管７ｆが、熱交換器４，４の冷媒配管４ｃと同様に、本体ケーシング１の底部に位置するドレンパン８内に配設されることとなる（図２参照）。従って、冷媒配管７ｆの表面に結露が発生した場合であっても、成長した水滴はドレンパン８内に落下することとなり、水飛びが発生しにくくなる。しかも、伝熱管７ｄ，７ｄと該伝熱管７ｄ，７ｄに直交する多数の板状フィン７ｅ，７ｅ・・とからなるクロスフィンコイルタイプの熱交換器は、従来使用されていたスパインフィンタイプの熱交換器に比べて、厚みが薄くなるので、スペース的な問題が解決する。また、クロスフィンコイルタイプの熱交換器は、従来使用されていたスパインフィンタイプの熱交換器に比べて、同一通風抵抗で、能力が５０％以上増加するところから、伝熱性能が大幅に向上する。さらに、各過冷却熱交換器７は、前記伝熱管７ｄ，７ｄがやや斜めに傾斜した姿勢となるように配設されているので、各過冷却熱交換器７を構成する板状フィン７ｅ，７ｅ・・（伝熱管７ｄ，７ｄと直交する）が水平姿勢となることがなくなるところから、水捌け性が向上し、冷房運転時に板状フィン７ｅ，７ｅ・・に凝縮水が溜まることがなくなる。
【００３２】
ちなみに、クロスフィンコイルタイプの熱交換器からなる前記過冷却熱交換器７を、実機の冷房条件ににおいて、一定条件で保水させて、ある一定時間に排出される水量の割合（保水量減少率％）と設置角度θとの関係について試験したところ、図４に示す結果が得られた。本試験において用いた過冷却熱交換器における板状フィンは、一般的な親水処理を施したものである。
【００３３】
図４に示す結果より、設置角度θが５°以上で、急激に、水はけが良くなっていることが分かる。従って、過冷却熱交換器７の設置角度θを５°以上とするのが、水はけ性を確保する上で好ましいことが分かる。なお、設置角度θの上限は、熱交換器４の幅や本体ケーシング１の奥行き等が関係してくるので、定量的に規定することが難しい。
【００３４】
本願発明は、上記実施の形態に限定されるものではなく、発明の要旨を逸脱しない範囲において、適宜設計変更可能なことは勿論である。
【図面の簡単な説明】
【００３５】
【図１】本願発明の実施の形態にかかる空気調和機用室内ユニットの横断平面図である。
【図２】本願発明の実施の形態にかかる空気調和機用室内ユニットの縦断正面図である。
【００３６】
【図３】本願発明の実施の形態にかかる空気調和機用室内ユニットにおける熱交換器および過冷却熱交換器を正面視した正面図である。
【図４】本願発明の実施の形態にかかる空気調和機用室内ユニットにおいて用いられるクロスフィンコイルタイプの過冷却熱交換器の設置角度θと保水量減少率との関係を示す特性図である。
【図５】従来公知の空気調和機用室内ユニットの横断平面図である。
【図６】従来公知の空気調和機用室内ユニットにおける熱交換器の拡大斜視図である。
【図７】従来公知の空気調和機用室内ユニットにおける過冷却熱交換器の要部を示す拡大斜視図である。
【図８】従来公知の空気調和機用室内ユニットにおける過冷却熱交換器の冷媒配管の配設方法を示したもので、（イ）は従来技術の一例を示し、（ロ）は従来技術の他の一例を示し、（ハ）は予想される変形例を示している。
【符号の説明】
【００３７】
１は本体ケーシング
２は遠心送風機
４は熱交換器
４ａは偏平チューブ
４ｂはコルゲートフィン
７は過冷却熱交換器
７ｄは伝熱管
７ｅは板状フィン
７ｆは冷媒配管
８はドレンパン
【図１】
2009103433.tif 000003
【図２】
2009103433.tif 000004
【図３】
2009103433.tif 000005
【図４】
2009103433.tif 000006
【図５】
2009103433.tif 000007
【図６】
2009103433.tif 000008
【図７】
2009103433.tif 000009
【図８】
2009103433.tif 000010